(57)【要約】【課題】内装材としての意匠性を高めたパネルを提供する。【解決手段】ベース板と、該ベース板上に配置される板状のマット３と、該マット３を覆う変形容易な表面カバー４と、これらマット３と表面カバー４との間に配置されベース板との間でマット３の少なくとも周縁部を保持するカバーフレーム５とを備えるとともに、カバーフレーム５に、表面カバー４の裏側に当接して表面カバー４を屈曲させる稜線形成部２１ａ，２５ａ，２９ａが形成され、正面に配置される稜線形成部２５ａの稜線形成位置よりも低い位置でマット３の表面を押さえる支持部２２が設けられている。【選択図】      図１
2016079671.tif 000002
【特許請求の範囲】
【請求項１】
ベース板と、該ベース板上に配置される板状のマットと、該マットを覆う変形容易な表面カバーと、これらマットと表面カバーとの間に配置されるカバーフレームとを備えるとともに、前記カバーフレームに、前記表面カバーの裏側に当接して表面カバーを屈曲させる稜線形成部が形成され、正面に配置される前記稜線形成部の稜線形成位置よりも低い位置で前記マットの表面を押さえる支持部が設けられているパネル。
【請求項２】
前記ベース板の周縁部に、前記マットの外側に配置されるサポート壁部と、該サポート壁部の内側に配置される桟部とが立設されるとともに、前記マットに、前記桟部を嵌合して表面に臨ませるスリットが形成され、前記サポート壁部及び前記桟部の先端が前記カバーフレームに当接している請求項１記載のパネル。
【請求項３】
前記サポート壁部は矩形の外形に形成され、前記桟部は、辺部の長さ方向中間部に配設されている請求項２記載のパネル。
【請求項４】
前記支持部は、前記カバーフレームに形成されている請求項１から３のいずれか一項記載のパネル。
【発明の詳細な説明】
【技術分野】
【０００１】
本発明は、吸音性を有するマットや、消臭剤、芳香剤、防虫剤、防鼠剤等を含有したマットなどを収容し、壁面や天井面等に取り付けて使用されるパネルに関する。
【背景技術】
【０００２】
吸音性を有するマットを収容したパネルは、部屋の壁面や天井面等に取り付けることにより、所望の音響空間を形成することができるものであり、従来、例えば特許文献１に示される吸音パネルが知られている。
特許文献１には、基板と、その基板に固着する枠を設け、その枠の内側に吸音効果のある充填材（マット）を埋め込み、表面材（表面カバー）で覆って成る吸音パネルが開示されている。それぞれの部材は加工性が良く、軽量かつ柔軟性に優れた部材で作成するとされ、基板には合板、プラスチック板、または、発泡系ウレタン材のような板状の部材を使用し、枠材に、木材、プラスチック材、発泡系ウレタン材、またはアルミ材のような枠材に適した材料を用い、充填材には、綿、布、化学繊維、グラスウール、羊毛系断熱材、または木質系繊維材のような吸音効果のある素材を用い、表面材としては、綿、麻、絹、化学繊維、皮、または紙のような素材を用いることが記載されている。
【先行技術文献】
【特許文献】
【０００３】
【特許文献１】実用新案登録第３１６７３６２号公報
【発明の概要】
【発明が解決しようとする課題】
【０００４】
特許文献１記載の吸音パネルでは、マットが基板や枠に固着されていないため、特に天井面に取り付けた場合、マットの自重を表面材が支えることになり、表面材が変形し易い。
また、この種の吸音パネルは、部屋の内装材として用いられるものであるため、意匠性に優れたものが求められるが、特許文献１記載の吸音パネルは単なる板状のものであり、意匠性に優れたものではない。また、前述のように表面材の変形が生じると、意匠性をさらに損なうことになる。
吸音パネル以外でも、消臭剤、芳香剤、防虫剤、防鼠剤等を含有したマットをパネルに収容して壁や天井等に取り付ける場合にも、特許文献１記載のパネル構造であると、同様の問題が生じる。
【０００５】
本発明は、このような事情に鑑みてなされたもので、内装材としての意匠性を高めたパネルを提供することを目的とする。
【課題を解決するための手段】
【０００６】
本発明のパネルは、ベース板と、該ベース板上に配置される板状のマットと、該マットを覆う変形容易な表面カバーと、これらマットと表面カバーとの間に配置されるカバーフレームとを備えるとともに、前記カバーフレームに、前記表面カバーの裏側に当接して表面カバーを屈曲させる稜線形成部が形成され、正面に配置される前記稜線形成部の稜線形成位置よりも低い位置で前記マットの表面を押さえる支持部が設けられている。
【０００７】
カバーフレームの稜線形成部が表面カバーに当接して屈曲させた状態とするので、表面カバーにカバーフレームの稜線形成部に沿って稜線が形成される。マットは、吸音材の場合グラスウール等の変形し易い材料からなり、また、消臭剤や防虫剤や防鼠剤等を含有させたマットも変形し易い材料からなるが、マットの表面が支持部によって押さえられているので、天井面等に取り付けた場合のマットの垂れ下がりを拘束することができ、この支持部が正面における稜線形成部の稜線形成位置よりも低い位置に形成されているから、稜線形成位置を越えてマットが垂れ下がることはなく、外観の意匠を損なうことはない。一方、カバーフレームがマットと表面カバーとの間に介在していることにより、表面カバーにマットが接触し難い構造となっており、表面カバーにマットが接触して変形を生じさせることはない。したがって、カバーフレームの稜線形成部を所望の形状に形成しておくことにより、表面カバーの稜線を所望の形状に形成することができ、意匠性に優れたものを提供することができる。
【０００８】
本発明のパネルにおいて、前記ベース板の周縁部に、前記マットの外側に配置されるサポート壁部と、該サポート壁部の内側に配置される桟部とが立設されるとともに、前記マットに、前記桟部を嵌合して表面に臨ませるスリットが形成され、前記サポート壁部及び前記桟部の先端が前記カバーフレームに当接している。
【０００９】
表面カバーは、例えばクロス材等により構成され、マットを覆った状態では張力が作用する。このため、カバーフレームの剛性が小さいと、カバーフレームが表面カバーの張力によって押し下げられてマット内に沈み込み、外観意匠に影響するおそれがあるが、この発明の構成であれば、カバーフレームがサポート壁部及び桟部により支持されるため、表面カバーの張力が作用してもマット内に沈み込む現象は防止され、稜線形成部により形成される所望の外観意匠を安定して保持することができる。
【００１０】
本発明のパネルにおいて、前記サポート壁部は矩形の外形に形成され、前記桟部は、辺部の長さ方向中間部に配設されているとよい。
天井面に矩形の外形のパネルを設置する場合、辺部の長さ方向中間部でマットが垂れ下がり易いが、その辺部の長さ方向中間部で桟部がマットのスリットに嵌合しているため、これら桟部とマットとの摩擦力によりマットが垂れ下がる現象が防止される。
【００１１】
本発明のパネルにおいて、前記支持部は、前記カバーフレームに形成されているとよい。
支持部をカバーフレームとは別個に設ける必要がなく、部品点数削減によりコスト低下を図ることができる。
【発明の効果】
【００１２】
本発明によれば、カバーフレームの稜線形成部によるデザインが表面に形成されるとともに、天井面に設置した場合でも支持部によりマットの垂れ下がりが防止されて表面カバーを変形することがないので、意匠性の高いパネルを提供することができる。
【図面の簡単な説明】
【００１３】
【図１】本発明の一実施形態の吸音パネルについて表面カバーを破断して内部を露出した状態の正面図である。
【図２】図１の裏側から表面カバーを破断して内部を露出して視た背面図である。
【図３】図１の拡大側面図である。
【図４】図１のＡ−Ａ線に沿う拡大断面図である。
【図５】図１に用いられるカバーフレームを背面側から視た斜視図である。
【図６】吸音材が桟部に嵌め込まれる状態を、サポート壁部を省略して示した部分斜視図である。
【図７】本発明の第２実施形態の吸音パネルを示す斜視図である。
【図８】図７の吸音パネルに用いられるカバーフレームの斜視図である。
【図９】本発明の第３実施形態の吸音パネルの中央部にビスを固定する前後の形態を示す一部破断した斜視図である。
【図１０】本発明の第４実施形態の吸音パネルを示す斜視図である。
【図１１】図１０のカバーフレームを示す斜視図である。
【図１２】図１１のカバーフレームの側部付近の拡大縦断面図である。
【図１３】カバーフレームの側部付近の種々の変形例を示す図１２同様の縦断面図である。
【発明を実施するための形態】
【００１４】
以下、本発明の実施形態を図面を参照しながら説明する。
図１〜図６は本発明を吸音パネルに適用した第１実施形態を示しており、吸音パネル（本発明のパネル）１は、ベース板２と、ベース板２上に配置される板状の吸音材（本発明のマット）３と、吸音材３を覆う変形容易な表面カバー４と、これら吸音材３と表面カバー４との間に配置されベース板２との間で吸音材３を保持するカバーフレーム５とを備えている。この吸音パネル１の外形は特に限定されるものではないが、本実施形態では、正面視が正方形に形成されている。もちろん、円形、三角形、五角形以上の多角形等、任意の外形に形成することができる。
【００１５】
ベース板２は、合板、樹脂板等からなり、外形は正方形で軽量化のため中央部が繰り抜かれた枠状に形成された底板１１と、この底板１１の周縁部に周方向に沿って立設されたサポート壁部１２と、このサポート壁部１２の内側で四つの辺部の長さ方向中間部に配置するように立設された桟部１３とからなる構成である。これらサポート壁部１２及び桟部１３は同一の高さに設定され、上面が面一に揃えられる。桟部１３は、サポート壁部１２の内周面に直交して所定長さ張り出すように設けられている。その長さは任意に設定できるが、ベース板２の中央部まで到達する長さまでは必要なく、後述のカバーフレーム５の外周枠部２１の下方に配置し得る長さを有していればよい。
【００１６】
吸音材３はグラスウール等の吸音材料として一般に用いられているものを用いることができ、ベース板２の底板１１の上のサポート壁部１２により囲まれた空間に嵌合状態に収納され得る平面視正方形の板状に形成される。吸音材３の厚さは、サポート壁部１２の高さ程度とされる。また、各辺部に、図６に示すように、ベース板２の桟部１３を嵌合するスリット１５が形成されている。これらスリット１５は、厚さ方向に貫通状態に形成され、桟部１３を嵌合することにより、桟部１３の表面が吸音材３の表面に臨ませられた状態となる。
表面カバー４は、音を通過させることが可能で、吸音パネル１の表面形状に合わせてこれを覆うことができる柔軟な材料、例えば綿、麻、絹、化学繊維等からなるクロス材により構成される。
【００１７】
カバーフレーム５は、例えば、ポリプロピレン等の樹脂のシート成形によって形成された薄肉（例えば厚さ１ｍｍ程度）のものであり、ベース板２との間で吸音材３の外周部を挟持する外周枠部２１と、外周枠部２１の内側を連結する内側枠部２２とを有している。外周枠部２１は、サポート壁部１２の外側に配置される周壁部２３と、この周壁部２３の上端から内方に直角に張り出す内向きつば部２４と、この内向きつば部２４の内周部を変形して内向きつば部２４の表面から突出して形成される環状の突出部２５と、この突出部２５の内側に周方向に沿って配置される内周縁部２６とから構成される。この内周縁部２６の内側に内側枠部２２が設けられる。
【００１８】
内側枠部２２は、対向する二つの辺の長さ方向中間位置どうしを連結しており、本実施形態では帯板を正面視十字状に直交させた形状に形成されている。この内側枠部２２により、外周枠部２１の内側に四つに分かれて平面視矩形状の開口部２７が形成され、この開口部２７を有するため音を通過することが可能になっている。
また、内側枠部２２の幅方向の中央部には、上方に凸となるようにリブ２８が屈曲形成されている。そして、この内側枠部２２は、突出部２５の最頂部（後述の稜線２５ａ）の位置よりも低い位置、具体的には突出部２５の下端における内向きつば部２４の平坦面と同じ高さ位置に配置されており、リブ２８の最頂部が突出部２５の最頂部よりも十分に低い位置に配置され、内側枠部２２に若干のたわみが生じたとしても、内側枠部２２のリブ２８が突出部２５の稜線２５ａの位置を越えることがないようにされている。
【００１９】
突出部２５は、二つの傾斜板部２５ｂ，２５ｃを縦断面が山形状となるように一体に形成してなるものであり、その山形の頂点により形成される稜線２５ａが、外形に沿って正方形の正面視に形成されている。この稜線２５ａは長さ方向にわたって同じ高さ位置となるように揃えられている。図示例では、二つの傾斜板部２５ｂ，２５ｃのうちの外側に配置される傾斜板部２５ｂは、内向きつば部２４の平坦面から直角に近い角度で立ち上げられており、これに対して、内側に配置される傾斜板部２５ｃは外周枠部２１の内周部に緩やかな傾斜角度で連結されている。この突出部２５よりも内周側に、若干の幅の内周縁部２６が内向きつば部２４と同じ高さ位置で内向きつば部２４と同じ平面に沿って形成されている。
また、正面視矩形の突出部２５の四隅には、外周枠部２１の四隅部に向かう縦断面山形状の突出部２９が形成されている。この突出部２９は、縦断面が山形状であるので稜線２９ａが形成され、その稜線２９ａは外周枠部２１の隅部に向かうにしたがって漸次高さが低くなるように形成される。
なお、前述のベース板２の桟部１３は、カバーフレーム５が被せられた状態で、外周枠部２１の突出部２５の下端（図４に示す例では外側傾斜板部２５ｂの下端位置を越える長さに形成され、外側傾斜板部２５ｂの下端を当接する。
【００２０】
このように構成された吸音パネル１を組み立てる作業は以下のようにして行われる。
ベース板２のサポート壁部１２の内側空間に吸音材３を嵌め込むとともに、桟部１３をスリット１５内に嵌合して桟部１３の表面を吸音材３の表面に露出させる。次に、吸音材３の上からカバーフレーム５を被せる。吸音材３は、ベース板２とカバーフレーム５の外周枠部２１との間で外周部が挟持された状態に保持されるとともに、その内側部分がカバーフレーム５の内側枠部２２によって押さえられた状態となる。この状態でカバーフレーム５をベース板２にステープル等によって固定する。そして、このカバーフレーム５の上から表面カバー４を被せて、張力をかけながら表面カバー４の周縁部をベース板２の裏側に折り返し、ステープル等によってベース板２に固定する。図中符号３０は、ステープル等の固定位置を示す。
【００２１】
このようにして組み立てられた吸音パネル１では、表面カバー４は、カバーフレーム５の外周枠部２１の外周縁２１ａ、正面視矩形の突出部２５の稜線２５ａ及び四隅の突出部２９の稜線２９ａが内面に当接し、これらによりそれぞれ屈曲した状態に整形され、その屈曲部分により、外周枠部２１の外周縁２１ａ、突出部２５の稜線２５ａ及び突出部２９の稜線２９ａの形状で表面カバー４にも稜線３１ａ〜３１ｃが形成される。この場合、薄肉の樹脂シートからなるカバーフレーム５が表面カバー４の張力によって押されるが、外周枠部２１は内側にベース板２のサポート壁部１２が配置されるので、表面カバー４により押されても外周枠部２１の周縁で変形することはない。
【００２２】
一方、突出部２５は、その内側は断面三角形状の空間であるが、二つの傾斜板部２５ｂ，２５ｃが山形に屈曲した状態で一体化しており、しかも、外側の傾斜板部２５ｂは外周枠部２１の内向きつば部２４から直角に近い角度で立ち上がっているので、薄肉の樹脂シートであっても曲げ剛性（横弾性係数）は高く、表面カバー４の張力によって押されても変形しにくい。また、各辺部の長さ方向中間部に桟部１３が配置され、この桟部１３が外周枠部２１の内向きつば部２４の外周縁から突出部２５にまでまたがった状態でこれらの下面を支持する。したがって、カバーフレーム５の突出部２５も表面カバー４の張力によって押された状態であるが、変形や吸音材３への沈み込みは防止され、表面カバー４に所期の稜線３１ａ〜３１ｃを形成した状態を維持することができる。
【００２３】
このようにして組み立てた吸音パネル１を天井等の取付面に取り付ける場合は、例えば、ベース板２の裏面と天井面等の取付面とに、面ファスナー（図示略）をそれぞれ貼付しておき、その面ファスナーどうしを接合することによって取付面に固定することができる。
そして、その取付姿勢においては、表面カバー４が下方に向けられた状態となる。このため、柔軟な吸音材３が下方に垂れ下がろうとするが、その外周部がカバーフレーム５の外周枠部２１により押さえられ、その内側がカバーフレーム５の内側枠部２２によって押さえられるので、垂れ下がることなくほぼ水平姿勢に保持される。カバーフレーム５も薄肉の樹脂製であるため、吸音材３の重量により帯板状の内側枠部２２が下方に若干たわむことがあり得るが、この内側枠部２２は突出部２５の稜線２５ａの位置よりも低い位置（天井面に取り付けたときは稜線位置より高い位置）に設置されているので、突出部２５の稜線２５ａの位置を越えて垂れ下がることはなく、表面カバー４に形成される稜線３１ｂの内側はほぼフラットの状態に維持される。この場合、内側枠部２２に形成したリブ２８は、内側枠部２２の剛性を高めて撓みにくくしている。
また、吸音材３は、外周部がカバーフレーム５の外周枠部２１とベース板２との間に挟持されるとともに、四辺には桟部１３がスリット１５に嵌合して、この桟部１３との間に摩擦力が作用しているので、ずれることはない。このため、この吸音パネル１を壁等の垂直面に取り付けた場合でも、カバーフレーム５内で吸音材３がずり下がることが防止される。
【００２４】
したがって、この吸音パネル１は、カバーフレーム５の外周枠部２１の外周縁２１ａにより正方形の外形に形成され、その内側に、突出部２５により表面カバー４に正方形の稜線３１ｂが形成され、さらに四隅に突出部２９の稜線２９ａにより正方形の稜線３１ｂから放射状に延びる稜線３１ｃが形成され、その外観が長期的に変形することなく維持され、意匠性に優れるものである。
以上の第１実施形態においては、カバーフレーム５の外周枠部２１の外周縁２１ａ、突出部２５の稜線２５ａ及び突出部２９の稜線２９ａが本発明の稜線形成部であり、そのうち、突出部２５の稜線２５ａが、正面に配置される稜線形成部である。また、外周枠部２１（特に内向きつば部２４）及び内側枠部２２が本発明の支持部である。
【００２５】
図７及び図８は本発明を吸音パネルに適用した第２実施形態を示している。
この吸音パネル４１に用いられるカバーフレーム４２は、ベース板のサポート壁部（図示しないが、ベース板は第１実施形態と同様である）上に重ねられる正面視正方形状の外周枠部４３と、この外周枠部４３から四角錐状に構築された突出部４４と、外周枠部４３の内側を連結する内側枠部４５と、この内側枠部４５の中心位置から立設され突出部４４の頂点部４４ａとの間を連結する支柱部４６とを有する基本構成とされている。
外周枠部４３は、サポート壁部の厚さよりも大きい幅の角柱状又は帯板状の棒状部材を組み合わせてなり、外周枠部４３、内側枠部４５及び支柱部４６も角柱状の棒状部材を組み合わせて構成されている。
【００２６】
このように構成される吸音パネル４１は、カバーフレーム４２の外周枠部４３の外周縁４３ａ及び四角錐状の突出部４４の各稜線４４ｂにより、表面カバー４に稜線３１ｄ，３１ｅが四角錐状に形成される。この実施形態の場合も、吸音材はカバーフレーム４２の外周枠部４３とベース板との間で外周部が挟持されるとともに、その内側部分も内側枠部４５によって押さえられるので、天井面等に取り付けた場合でも垂れ下がることが防止され、四角錐状の外観意匠を長期に維持することができる。
この実施形態においては、カバーフレーム４２の外周枠部４３の外周縁４３ａ及び四角錐状の突出部４４の各稜線４４ｂが本発明の稜線形成部であり、そのうち、突出部４４の各稜線４４ｂが、正面に配置される稜線形成部である。また、外周枠部４３及び内側枠部４５が本発明の支持部である。
なお、この実施形態ではカバーフレームを四角錐状に構築したが、円錐状、三角錐状、その他の多角錐状としてもよい。
【００２７】
図９は、本発明を吸音パネルに適用した第３実施形態を示しており、この吸音パネル５１は、正面視が円形で、周壁部がわずかにテーパ面状とした、全体として円錐台形に形成されている。この場合、円形のベース板５３上に載置した円形の吸音材３を円錐台形のカバーフレーム５４が覆っており、カバーフレーム５４はベース板５３上の円形リング状のサポート壁部５５によって内側から支持され、円形の天板部５４ａが吸音材３の表面に当接している。
また、吸音パネル５１の中央部には、表面カバー４の上からねじ込んだビス５６が、吸音材３を貫通してベース板５３に固定されており、このビス５６の頭部がカバーフレーム５４の外周縁５４ｂよりも低い位置に設置されることにより、表面カバー４の中央部が若干窪んだ凹形状に保持される。
【００２８】
この吸音パネル５１は、円錐台形のカバーフレーム５４の外周縁５４ｂで表面カバー４が屈曲され、表面カバー４には、カバーフレーム５４の外周縁５４ｂに沿う円形に稜線３１ｆが形成される。また、中央部がビス５６によって押さえられているので、天井面等に取り付けた際にも、稜線３１ｆ（カバーフレーム５４の外周縁５４ｂ）を越えて中央部が垂れ下がることはない。
この実施形態においては、カバーフレーム５４の外周縁５４ａが本発明の稜線形成部であり、カバーフレーム５４の天板部５４ａ及びビス５６が本発明の支持部である。
なお、吸音材３の表面を押さえる手段（支持部）としては、ビス５６による固定に限らず、カバーフレームと表面カバーとのそれぞれに一対の磁石を配設して、その磁力によって固定してもよいし、接着や溶着等によって表面カバーの内面をカバーフレームに固定することとしてもよい。
また、カバーフレーム５４は、中央部に音を通過可能な開口部を形成しておけばよい。
【００２９】
図１０〜図１２は第４実施形態を示している。
この吸音パネル６１において、カバーフレーム６２は、外周枠部６３と内側枠部６４とを有し、外周枠部６３には、周壁部６５の先端から正面に向けて突出する山形状の突出部６６が形成されている。また、正面視では正方形状に形成されるが、その周壁部６５が裏面側にかけて内側に傾斜するテーパ面状に形成されている。したがって、突出部６６と周壁部６５との間も山形状をなし、側方に張り出すように形成される。また、突出部６６の内周部に内周縁部６７が形成され、この内周縁部６７の内側に正面視で十字状に直交した内側枠部６４が形成され、四つの開口部２７を形成している。この内側枠部６４は突出部６６の稜線６６ａよりも低い位置に配置される。
【００３０】
なお、このカバーフレーム６２は、突出部６６の最頂部の稜線６６ａ以外にも、突出部６６の外周縁６６ｂ、突出部６６の四つの隅部６６ｃ及び周壁部６５の四つの隅部６５ａにもそれぞれ稜線が形成される。
このカバーフレーム６２を用いることにより、表面カバー４には、その正面に突出部６６により稜線３１ｇが形成されるとともに、外周縁及び四隅部にも稜線３１ｈ，３１ｊ，３１ｋが形成され、外観意匠性が高められる。
この第３実施形態において、突出部６６の稜線６６ａ、その外周縁６６ｂ、隅部６６ｃ、周壁部６５の隅部６５ａが本発明の稜線形成部であり、そのうち、突出部の最頂部の稜線６６ａが、正面に配置される稜線形成部であり、内側枠部６４はこの突出部６６の稜線６６ａを越えないように設けられる。また、この実施形態では、図１２に示すように吸音材３は内側枠部６４によって押さえられる構成であり、この内側枠部６４が本発明の支持部である。
【００３１】
図１３は、カバーフレームの種々の変形例を示しており、図１３（ａ）に示すカバーフレーム７１は、外周枠部７２に正面に向けて突出する山形状の突出部７３が設けられ、その外周縁７３ｂから連続する周壁部７４が高さ方向の途中で屈曲状態に形成されており、縦断面で視ると、突出部７３の頂部の稜線７３ａ、突出部７３の外周縁７３ｂ、周壁部７４の屈曲部の稜線７４ａを有しており、これら稜線により、表面カバー４に稜線が形成される。
図１３（ｂ）に示すカバーフレーム７５は、同図（ａ）に示すカバーフレーム７１に対して、周壁部７４の屈曲部による稜線７４ａ，７４ｂを二つにして、さらに稜線を増やしたものである。
図１３（ｃ）に示すカバーフレーム８１は、外周枠部８２が正面に平坦面８３を有しており、その正面の平坦面８３により表面カバー４の周縁部の裏面が支持される。また、周壁部８４は外周枠部８２の平坦面８３に直角に延びて高さ方向の途中で屈曲して形成されている。したがって、このカバーフレーム８１では、縦断面で視ると、外周枠部８２の外周縁８２ａ、周壁部８４の屈曲部の稜線８４ａを有しており、これら稜線により、表面カバー４に稜線が形成される。
これらカバーフレームは、いずれも側面にも稜線が形成されるが、吸音材の内側部分を支持する内側枠部（支持部）６４（図１２及び図１３において、同一符号を用いている）は、正面に向けた稜線形成位置（図１３（ａ）（ｂ）においては突出部７３の稜線７３ａ、図１３（ｃ）では外周枠部８２の外周縁８２ａにより形成される稜線形成位置）を越えないように設けられ、これら突出部７３の稜線７３ａ、外周枠部８２の外周縁８２ａが本発明の正面に配置される稜線形成部である。
【００３２】
なお、本発明は上記実施形態に限定されるものではなく、本発明の趣旨を逸脱しない範囲において種々の変更を加えることが可能である。
各実施形態では本発明を吸音パネルに適用したが、本発明のパネルは、吸音パネルに限らず、消臭剤、防虫剤、防鼠剤等を含有したマットを実施形態の吸音材と同様な構造で収容したパネルにも適用することができる。吸音材の場合は、表面カバー及びカバーフレームを音が通過可能な構造としたが、消臭剤、芳香剤、防虫剤、防鼠剤等の薬剤を含有したマットを収容する場合は、これら消臭剤等の薬剤からの気化成分、あるいはパネルの外側空間における臭気成分を通過可能な構造とする。具体的には、吸音パネルの場合と同様の構造のものが適用できる。
また、第１実施形態等ではカバーフレームを合成樹脂のシート成形品とし、中央部に開口部を形成したが、これに限らず、木製、金属製等のものでもよいし、開口部を有する枠状の形状でなくても、全体をメッシュ状に形成することにより、音を通過させることができるようにしてもよい。
また、桟部及びマットのスリットは、マットが正面視三角形、あるいは５角形以上の多角形状である場合は、その各辺部の中央位置に設けるとよい。また、多角形でも角数が多い場合あるいは正面視円形の場合は、桟部及びスリットは省略してもよい。
【符号の説明】
【００３３】
１…吸音パネル（パネル）、２…ベース板、３…吸音材（マット）、４…表面カバー、５…カバーフレーム、１１…底板、１２…サポート壁部、１３…桟部、１５…スリット、２１…外周枠部（支持部）、２１ａ…外周縁（稜線形成部）、２２…内側枠部（支持部）、２３…周壁部、２４…内向きつば部、２５…突出部、２５ａ…稜線（稜線形成部）、２５ｂ…傾斜板部、２５ｃ…傾斜板部、２６…内周縁部、２７…開口部、２８…リブ、２９…突出部、２９ａ…稜線（稜線形成部）、３１ａ〜３１ｈ…稜線、４１…吸音パネル（パネル）、４２…カバーフレーム、４３…外周枠部（支持部）、４３ａ…外周縁（稜線形成部）、４４…突出部、４４ａ…頂点部、４４ｂ…稜線（稜線形成部）、４５…内側枠部（支持部）、４６…支柱部、５１…吸音パネル（パネル）、５３…ベース板、５４…カバーフレーム、５４ａ…天板部（支持部）、５４ｂ…外周縁（稜線形成部）、５５…サポート壁部、５６…ビス（支持部）、６１…吸音パネル（パネル）、６２…カバーフレーム、６３…外周枠部（支持部）、６４…内側枠部、６５…周壁部、６５ａ…隅部、６６…突出部、６６ａ…稜線（稜線形成部）、６６ｂ…外周縁（稜線形成部）、６６ｃ…隅部（稜線形成部）、６７…内周縁部、７１…カバーフレーム、７２…外周枠部（支持部）、７３…突出部、７３ａ…稜線、７３ｂ…外周縁、７４…周壁部、７４ａ，７４ｂ…稜線、７５…カバーフレーム、８１…カバーフレーム、８２…外周枠部（支持部）、８２ａ…外周縁、８３…平坦面、８４…周壁部、８４ａ…稜線
【図１】
2016079671.tif 000003
【図２】
2016079671.tif 000004
【図３】
2016079671.tif 000005
【図４】
2016079671.tif 000006
【図５】
2016079671.tif 000007
【図６】
2016079671.tif 000008
【図７】
2016079671.tif 000009
【図８】
2016079671.tif 000010
【図９】
2016079671.tif 000011
【図１０】
2016079671.tif 000012
【図１１】
2016079671.tif 000013
【図１２】
2016079671.tif 000014
【図１３】
2016079671.tif 000015